(57)【要約】【課題】省スペース化が図れる操作装置を提供する。【解決手段】操作装置１００は、操作ノブ１と、被制御部材と連結される制御部材２と、操作ノブ１及び制御部材２が取り付けられており、操作ノブ１の操作を制御部材２へ伝えるように操作ノブ１の操作により駆動される伝達部材４と、伝達部材４が巻き回されたプーリー部材３と、を備え、プーリー部材３は、使用状態において操作者に対面する前面において、操作ノブ１の操作位置を表示する表示部５を有する。【選択図】図１
2015101253.tif 000002
【特許請求の範囲】
【請求項１】
操作ノブと、
被制御部材と連結される制御部材と、
前記操作ノブ及び前記制御部材が取り付けられており、前記操作ノブの操作を前記制御部材へ伝えるように前記操作ノブの操作により駆動される伝達部材と、
前記伝達部材が巻き回されたプーリー部材と、を備え、
前記プーリー部材は、使用状態において操作者に対面する前面において、前記操作ノブの操作位置を表示する表示部を有する、
操作装置。
【請求項２】
請求項１に記載の操作装置において、
前記プーリー部材は、中空部を有する円筒形状に形成され、外周面に前記伝達部材が巻き回されること、
を特徴とする操作装置。
【請求項３】
請求項２に記載の操作装置において、
前記プーリー部材の前記中空部に、前記表示部を照らす照明装置を備えること、
を特徴とする操作装置。
【請求項４】
請求項１から請求項３までのいずれか１項に記載の操作装置において、
前記伝達部材は、無端形状に形成されており、回転駆動可能であること、
を特徴とする操作装置。
【請求項５】
請求項１から請求項３までのいずれか１項に記載の操作装置において、
前記伝達部材は、一方の端部に形成された一端部と、前記一端部と反対側の端部に形成された他端部と、前記一端部及び前記他端部の間に中間部とを有し、前記一端部及び前記他端部に前記制御部材が取り付けられ、前記中間部に前記操作ノブが取り付けられていること、
を特徴とする操作装置。
【発明の詳細な説明】
【技術分野】
【０００１】
本発明は、車両のエアコンやオーディオ等の各種機器の操作に用いられる操作装置に関するものである。
【背景技術】
【０００２】
従来、車両のエアコン装置の操作を行う操作装置には、例えば、ダイヤル回転タイプや、レバースライドタイプや、プッシュスイッチタイプなどが用いられている。また、操作装置において、駆動を伝達する機構には、操作者に操作される操作部が接続され、ワイヤ等の伝達部材が巻き回されたプーリーが用いられている。
【０００３】
例えば、空調装置の空気経路に設けられるドアを開閉操作する空調側プーリーと、車両のインストルメントパネル側に設けられる操作側プーリーと、操作側プーリーを回転駆動する操作部と、操作側プーリーに巻回され、空調側プーリーを回転駆動する２本のケーブルと、を有し、操作部が上下方向に操作されることによりドアが開閉する操作装置が特許文献１に開示されている。
【先行技術文献】
【特許文献】
【０００４】
【特許文献１】特開２０１１−１１６１６９号公報
【発明の概要】
【発明が解決しようとする課題】
【０００５】
しかし、従来の操作装置において、プーリーは、操作部が接続され、操作部の操作により伝達部材を駆動する機能のみを有する。このため、例えば、操作部の操作位置を表示する表示部等を、プーリーとは別に設ける必要があり、省スペース化が困難であるという問題があった。
【０００６】
本発明は、省スペース化が図れる操作装置を提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
【０００８】
請求項１の発明は、操作ノブ（１）と、被制御部材と連結される制御部材（２）と、前記操作ノブ及び前記制御部材が取り付けられており、前記操作ノブの操作を前記制御部材へ伝えるように前記操作ノブの操作により駆動される伝達部材（４，４Ａ）と、前記伝達部材が巻き回されたプーリー部材（３）と、を備え、前記プーリー部材は、使用状態において操作者に対面する前面において、前記操作ノブの操作位置を表示する表示部（５）を有する、操作装置（１００，２００）である。
【０００９】
請求項２の発明は、請求項１に記載の操作装置において、前記プーリー部材（３）は、中空部（３３）を有する円筒形状に形成され、外周面（３４）に前記伝達部材（２）が巻き回されること、を特徴とする操作装置（１００，２００）である。
【００１０】
請求項３の発明は、請求項２に記載の操作装置において、前記プーリー部材（３）の前記中空部（３３）に、前記表示部（５）を照らす照明装置（６）を備えること、を特徴とする操作装置（１００，２００）である。
【００１１】
請求項４の発明は、請求項１から請求項３までのいずれか１項に記載の操作装置において、前記伝達部材（４）は、無端形状に形成されており、回転駆動可能であること、を特徴とする操作装置である。
【００１２】
請求項５の発明は、請求項１から請求項３までのいずれか１項に記載の操作装置において、前記伝達部材（４Ａ）は、一方の端部に形成された一端部（４１ａ）と、前記一端部と反対側の端部に形成された他端部（４１ｂ）と、前記一端部及び前記他端部の間に中間部（４１ｃ）とを有し、前記一端部及び前記他端部に前記制御部材（２）が取り付けられ、前記中間部に前記操作ノブ（１）が取り付けられていること、を特徴とする操作装置である。
【発明の効果】
【００１３】
本発明によれば、以下の効果を奏することができる。
【００１４】
（１）請求項１の発明によれば、プーリー部材は、使用状態において操作者に対面する前面において、操作ノブの操作位置を表示する表示部を有する。これにより、プーリー部材は、伝達部材の軸としての機能のみでなく、表示部としての機能も兼ねるので、省スペース化を図ることができる。
また、表示部を操作ノブの近傍に配置できるので、操作者の視認性を向上することができる。
【００１５】
（２）請求項２の発明によれば、プーリー部材は、中空部を有する円筒形状に形成され、外周面に伝達部材が巻き回される。
ここで、操作装置には、操作者が夜間でも視認できるように、照明装置が設けられている。従来、このような照明装置は、プーリーを避けた位置に設けられており、更に省スペース化を困難にしていた。
しかしながら、プーリー部材を、中空部を有する円筒形状に形成したので、この中空部に他の部品（例えば、照明装置）を配置できるので、更に省スペース化を図ることができる。
【００１６】
（３）請求項３の発明によれば、プーリー部材の中空部に、表示部を照らす照明装置を備える。これにより、照明装置により、プーリー部材の前面の表示部を照らし明確に示すことができる。よって、省スペース化を図ることができるとともに、操作性を向上できる。
【００１７】
（４）請求項４の発明によれば、伝達部材は、無端形状に形成されており、回転駆動可能である。
ここで、例えば、端部を有する所定長さの伝達部材の場合、操作者により伝達部材が駆動操作される範囲は、伝達部材の所定長さに制限される。
しかしながら、伝達部材を無端形状に形成し回転駆動可能とすることで、操作者による伝達部材の駆動操作する範囲の制限が無くなり、例えば、駆動操作された距離に応じて、異なる機能を割り振ることもできる。
よって、省スペース化を図るともとに、操作性を向上することができる。
【００１８】
（５）請求項５の発明によれば、伝達部材は、一方の端部に形成された一端部と、一端部と反対側の端部に形成された他端部と、一端部及び他端部の間に中間部とを有し、一端部及び他端部に制御部材が取り付けられ、中間部に操作ノブが取り付けられている。これにより、一端部及び他端部を任意の位置に配置し、この任意の位置において制御部材を取り付けることができるので、例えば、操作装置内に配置された他の部材を避けた位置に一端部及び他端部を配置し、その位置で制御部材を取り付けることができる。よって、省スペース化を図ることができるとともに、装置内のレイアウトの自由度を向上できる。
【図面の簡単な説明】
【００１９】
【図１】本発明の第１実施形態に係る操作装置１００を示す概略斜視図である。
【図２】第１実施形態の操作装置１００を前面から視た図である。
【図３】図２に示す第１実施形態の操作装置１００のＡＡ’断面図である。
【図４】本発明の第２実施形態の操作装置２００を前面から視た図である。
【図５】第２実施形態の操作装置２００を前面から視た図である。
【発明を実施するための形態】
【００２０】
以下、本発明を実施するための最良の形態について図面等を参照して説明する。
【００２１】
（第１実施形態）
図１は、本発明の第１実施形態に係る操作装置１００を示す概略斜視図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２２】
第１実施形態の操作装置１００は、車両の空調機器の操作に用いられるものであり、略箱状に形成されたボディ（図示無し）に、操作ノブ１と、制御部材２と、使用状態において操作者に対面する前面（図１中前面側端面）に表示部５を有するプーリー部材３と、伝達部材４とが組み付けられている。
なお、図１及び図２では、ボディ内部の構成を説明するため、ボディの記載を省略している。
【００２３】
図２は、第１実施形態の操作装置１００を前面から視た図である。
操作ノブ１は、基端が伝達部材４に固定され、伝達部材４の下方（図２中下方向）に突出し、利用者に把持され、伝達部材４が移動可能な方向（図２中左右方向）に直線移動可能に構成されている。
【００２４】
制御部材２は、被制御部材（図示無し）と連結されている。詳細には、制御部材２は、ワイヤ接続部２１と、コントロールワイヤ２３を構成するインナワイヤ２２及びアウタワイヤ２４と、前記コントロールワイヤ２３のアウタワイヤ２４の端部を図示しない操作装置１００のボディの所定位置に固定する支持部２５とを備える。
【００２５】
ワイヤ接続部２１は、基端が伝達部材４に固定され、伝達部材４の上方（図２中上方向）に突出し、利用者における操作ノブ１の操作に伴い移動する伝達部材４に追随して、伝達部材４が移動可能な方向（図２中左右方向）に直線移動可能に構成されている。
【００２６】
インナワイヤ２２は、管状のアウタワイヤ２４の内部に摺動可能に挿通しており、その一端２２１は、ワイヤ接続部２１に固定され、他端２２２が被制御部材と連結され、ワイヤ接続部２１の直線移動に追随して並行に直線移動可能に構成されている。
【００２７】
ここで、操作装置１００が接続されている被制御部材（図示無し）は、インナワイヤ２２の所定距離ｋの移動距離に応じて作動する。具体的には、被制御部材（図示無し）は、例えば、車内における内外気切り替え機能を有する場合、インナワイヤ２２が所定距離ｋを移動することに応じて、他端２２２と連結されている被制御部材側のレバー機構が作動することで、被制御部材における通気路を切り替える図示しないフィンが切り替えられ、車内の空気を取り込んで循環させる内気循環機能と、外気を導入して循環させる外気導入機能と、を相互に切り替える。
【００２８】
プーリー部材３は、伝達部材４が巻き回された第１支点部３１及び第２支点部３２を備える。
第１支点部３１及び第２支点部３２は、使用状態において操作者に対面する前面（図１中前面）から背面（図１中背面）方向に延びる軸芯を中心とする円筒形状に形成されている。
また、第１支点部３１及び第２支点部３２は、使用状態において操作者に対面する前面と平行な方向（図２中左右方向）に配列され、互いの間隔が、所定距離ｋ（被制御部材（図示無し）を作動させるために必要なインナワイヤ２２の移動距離）より大きい寸法で配置されている。
また、第１支点部３１及び第２支点部３２は、それぞれ、前面側端面に表示部５を有する。
【００２９】
表示部５は、透光性を有する素材で形成され、操作ノブ１の操作位置を表示する。具体的には、例えば、図２に示す例では、表示部５には、操作ノブ１の操作位置として、図２中左側に配置された第１支点部３１において外気導入を示す表示が付され、図２中右側に配置された第２支点部３２において内気循環を示す表示が付されている。
【００３０】
図３は、図２に示す第１実施形態の操作装置１００のＡＡ’断面図である。
また、プーリー部材３は、中空部３３を有する円筒形状に形成され、外周面３４に伝達部材４が巻き回されている。プーリー部材３は、その前面側端部が操作装置１００のボディ１０に固定されている。
中空部３３には、表示部５を背面側から照らす照明装置６が設けられている。
なお、外周面３４には、転がり軸受を設けてもよい。このようにすることで、伝達部材４の駆動がスムーズになる。また、外周面３４には、転がり軸受に限られず、凹凸のある歯車を回転自在に設けてもよく、伝達部材４の内面に、その歯車と噛み合うように凹凸を形成してもよい。このようにすることで、伝達部材４とプーリー部材３の動作をスムーズに追従させることができる。
【００３１】
図２に戻って、伝達部材４は、ベルト形状の無端形状に形成され、プーリー部材３の第１支点部３１及び第２支点部３２に巻き回されている。
伝達部材４には、第１支点部３１及び第２支点部３２を挟んで、下側に操作ノブ１が取り付けられ、上側に制御部材２のワイヤ接続部２１が取り付けられている。
伝達部材４は、利用者による操作ノブ１を、前面と平行な方向（図２中左右方向）に直線移動する操作を、制御部材２へ伝えるように、プーリー部材３の第１支点部３１及び第２支点部３２の周りを回転するように駆動する。
【００３２】
また、第１実施形態では、伝達部材４をベルト部材で構成しているが、操作ノブ１及びワイヤ接続部２１を固定できれば、ワイヤやチェーンで構成してもよい。
【００３３】
次に、第１実施形態に係る操作装置１００の動作について説明する。
操作装置１００における車両の空調機器の操作のうち、内気循環から外気導入に切り替える場合について説明する。第１実施形態では、内気循環している場合、操作ノブ１は、プーリー部材３の表示部５において内気循環を示す表示がされた右側（第２支点部３２側）に寄せられている。
【００３４】
まず、利用者は、操作ノブ１を摘まみ、プーリー部材３の表示部５において外気導入を示す表示がされた左側（第１支点部３１側）に直線移動させる。これにより、伝達部材４は、利用者における操作ノブ１の操作に追随して、第１支点部３１及び第２支点部３２を支点に右回りに回動する。
また、制御部材２のワイヤ接続部２１は、伝達部材４に追随して、左から右に直線移動する。
そして、制御部材２のインナワイヤ２２は、ワイヤ接続部２１の直線移動に追随して、被制御部材（図示無し）の動作を内気循環機能から外気導入機能に切り替える。
【００３５】
以上説明したように、第１実施形態によれば、プーリー部材３は、使用状態において操作者に対面する前面において、操作ノブ１の操作位置を表示する表示部５を有する。これにより、プーリー部材３は、伝達部材４の軸としての機能のみでなく、表示部５としての機能も兼ねるので、省スペース化を図ることができる。
また、表示部５を操作ノブ１の近傍に配置できるので、操作者の視認性を向上することができる。
【００３６】
また、プーリー部材３を、中空部３３を有する円筒形状に形成したので、この中空部３３に他の部品（例えば、照明装置６）を配置できるので、更に省スペース化を図ることができる。
【００３７】
また、プーリー部材３の中空部３３に、表示部５を照らす照明装置６を備えたことで、照明装置６により、プーリー部材３の前面の表示部５を照らし明確に示すことができる。よって、省スペース化を図ることができるとともに、操作性を向上できる。
【００３８】
また、伝達部材４を無端形状に形成し回転駆動可能とすることで、操作者による伝達部材４の駆動操作する範囲の制限が無くなり、例えば、駆動操作された距離に応じて、異なる機能を割り振ることもできる。
よって、省スペース化を図るともとに、操作性を向上することができる。
【００３９】
（第２実施形態）
図４及び図５は、本発明の第２実施形態の操作装置２００を前面から視た図である。
第２実施形態の操作装置２００は、伝達部材４Ａが一方の端部に形成された一端部４１ａ及び一端部と反対側の端部に形成された他端部４１ｂを有するワイヤで構成され、一端部４１ａ及び他端部４１ｂの向きを調整する一対の調整部材７を更に備え、一端部４１ａ及び他端部４１ｂにそれぞれ制御部材２０２が取り付けられている。この実施例では、制御部材２０２は、柔軟性を有するケーブルで構成され、他端部が被制御部材（図しない）に設けられたプーリー部材２０３にそれぞれ連結されている。すなわち、操作ノブ１の移動によって被制御部材のプーリー部材２０３を引き操作のみで回転させることによって駆動させる構成となっている。その他は、第１実施形態の操作装置１００と同様である。よって、前述した第１実施形態と同様の機能を果たす部分には、同一の符号を付して、重複する説明を適宜省略する。
【００４０】
伝達部材４Ａは、一端部４１ａ及び他端部４１ｂと、一端部４１ａ及び他端部４１ｂの間に中間部４１ｃとを有し、プーリー部材３の第１支点部３１及び第２支点部３２に巻き回され、一対の調整部材７にガイドされ、一端部４１ａ及び他端部４１ｂの向きが調整されている。
伝達部材４Ａは、中間部４１ｃにおいて、第１支点部３１及び第２支点部３２を挟んで、下側に操作ノブ１が取り付けられ、上側が一対の調整部材７に摺接して曲がり、一端部４１ａ及び他端部４１ｂにそれぞれ制御部材２０２のワイヤ接続部２１が取り付けられている。
なお、第２実施形態では、伝達部材４Ａをワイヤで構成しているが、操作ノブ１及びワイヤ接続部２１を固定できれば、ベルト部材やチェーンで構成してもよい。また、制御部材２０２を無くし、直接、伝達部材４Ａを被制御部材のプーリー部材２０３に連結するようにしてもよい。
【００４１】
調整部材７は、第１支点部３１から第２支点部３２へ向かう方向（図３中左右方向）に延びる第１面７１と、第１面７１に対して所定角度（図３に示す例では９０度）を有する第２面７２と、を有し、第１面７１と第２面７２とは湾曲面７３によって連なっている。
【００４２】
調整部材７は、プーリー部材３に対する被制御部材（図示無し）の位置に応じて配置される。具体的には、調整部材７は、例えば、第１面７１に対する第２面７２の所定角度が９０度の場合、被制御部材に対向する位置に配置される。
また、調整部材７は、第１面７１に対する第２面７２の所定角度を調整することで、伝達部材４Ａの一端部４１ａ及び他端部４１ｂの向きを調整することもできる。具体的には、例えば、被制御部材が第１支点部３１から第２支点部３２へ向かう方向（図３中左右方向）に対し、４５度傾斜して配置された場合、所定角度を４５度とすることで、伝達部材４Ａの一端部４１ａ及び他端部４１ｂを被制御部材に向かわせることができる。
【００４３】
次に、第２実施形態に係る操作装置２００の動作について説明する。
操作装置２００における車両の空調機器の操作のうち、内気循環から外気導入に切り替える場合について説明する。第２実施形態では、内気循環している場合、図４に示すように、操作ノブ１は、プーリー部材３の表示部５において内気循環を示す表示がされた右側（第２支点部３２側）に寄せられている。
【００４４】
まず、利用者は、操作ノブ１を摘まみ、プーリー部材３の表示部５において外気導入を示す表示がされた左側（第１支点部３１側）に直線移動させる。
これにより、伝達部材４Ａは、第２支点部３２から第１支点部３１へ向かう方向に移動し、第１支点部３１及び第２支点部３２の周りを回転するように駆動する。そして、伝達部材４Ａは、一端部４１ａ及び他端部４１ｂ側が一対の調整部材７にそれぞれ摺接して曲がり、第１支点部３１から第２支点部３２へ向かう方向と直交する方向（図３中上下方向）において、一端部４１ａ及び他端部４１ｂが互いに反対方向に直線移動する。即ち、伝達部材４Ａは、操作ノブ１の操作により、一端部４１ａが上方向に移動し、他端部４１ｂが下方向に移動すし、図５に示す状態となる。
また、制御部材２０２は、伝達部材４Ａに追随して、一端部４１ａに取り付けられたワイヤ接続部２１は上方向に移動し、他端部４１ｂに取り付けられたワイヤ接続部２１は下方向に移動し、被制御部材（図示無し）のプーリー部材２０３を回動させることによって、被制御部材の動作を内気循環機能から外気導入機能に切り替える。
【００４５】
以上説明したように、第２実施形態によれば、伝達部材４Ａは、一方の端部に形成された一端部４１ａと、一端部と反対側の端部に形成された他端部４１ｂと、一端部４１ａ及び他端部４１ｂの間の中間部４１ｃとを有し、一端部４１ａ及び他端部４１ｂに制御部材２０２が取り付けられ、中間部４１ｃに操作ノブ１が取り付けられている。これにより、一端部４１ａ及び他端部４１ｂを任意の位置に配置し、この任意の位置において制御部材２０２を取り付けることができるので、例えば、操作装置２００内に配置された他の部材を避けた位置に一端部４１ａ及び他端部４１ｂを配置し、その位置で制御部材２０２を取り付けることができる。よって、省スペース化を図ることができるとともに、装置内のレイアウトの自由度を向上できる。
【００４６】
（変形形態）
（１）第１実施形態において、ベルト部材４０は、ゴム素材で形成したが、これに限らず、例えば、樹脂製のプレートを複数枚配列し、互いに隣接するプレートを連結してベルト形状に形成したものを用いてもよい。
【００４７】
（２）第１実施形態及び第２実施形態において、操作ノブ１は、伝達部材４又は伝達部材４Ａの下方に設けているが、ワイヤ接続部２１と入れ替えて、上方に設けるようにしてもよい。また、プーリー部材３の位置を縦方向や斜め方向に対向して配置することで、操作ノブ１の操作方向を縦方向や斜め方向に設定することもできる。
【００４８】
（３）第１実施形態及び第２実施形態において、プーリー部材３の第１支点部３１及び第２支点部３２は、同じ外径で形成したが、これに限らず、プーリー部材３に対する被制御部材の位置に応じて、例えば、第１支点部３１の外径に比べ、第２支点部３２の外径を大きくすることで、操作ノブ１の直線移動方向に対して制御部材２の直線移動方向に角度を持たせてもよい。
また、プーリー部材３の支点数やワイヤ接続部２１の位置を適宜変更して、制御部材２の向きを操作装置内の内部のスペースに応じて変更してもよい。
【００４９】
（４）第２実施形態において、調整部材７は、一対で設けたが、これに限らず、プーリー部材３に対する被制御部材の位置に応じて、例えば、複数対で設けたり、奇数個設けたりしてもよい。
【００５０】
（５）各実施形態において、操作装置１００，２００は、空調機器の操作を行うものである例を挙げて説明した。これに限らず、例えば、ワイヤで被制御機器を操作する操作装置であれば、他の機器の操作に本発明の操作装置を適用してもよい。
【００５１】
なお、各実施形態及び変形形態は、適宜組み合わせて用いることもできるが、詳細な説明は省略する。また、本発明は以上説明した各実施形態によって限定されることはない。
【符号の説明】
【００５２】
１      操作ノブ
２      制御部材
３      プーリー部材
４，４Ａ  伝達部材
５      表示部
６      照明装置
７      調整部材
１０    ボディ
２１    ワイヤ接続部
２２    インナワイヤ
２３    コントロールワイヤ
２４    アウタワイヤ
２５    支持部
３１    第１支点部
３２    第２支点部
３３    中空部
３４    外周面
４０    ベルト部材
４１ａ  一端部
４１ｂ  他端部
４１ｃ  中間部
７１    第１面
７２    第２面
７３    湾曲面
１００，２００  操作装置
２０２  制御部材
２０３  プーリー部材
２２１  一端
２２２  他端
ｋ      所定距離
【図１】
2015101253.tif 000003
【図２】
2015101253.tif 000004
【図３】
2015101253.tif 000005
【図４】
2015101253.tif 000006
【図５】
2015101253.tif 000007